(57)【特許請求の範囲】
【請求項１】
オーディオ再生部と、軌跡検出部と、再生制御部と、信号処理部とを備えるオーディオ再生装置であって、
前記オーディオ再生部は、第１記録媒体を再生してオーディオ信号を出力し、
前記軌跡検出部は、回転円板と、記録媒体と、接触部と、アナログ・デジタル変換部と信号処理部とを備え、軌跡座標信号を生成し、前記軌跡座標信号を前記再生制御部に出力し、
前記回転円板は、第２記録媒体を載置すると共に、使用者の操作に応じて回転可能とし、
前記第２記録媒体は、周期的に設けられた所定数の凹凸を持つサウンドグローブを表面に螺旋状に備え、
前記接触部は、サウンドグローブに接触して凹凸に基づくアナログ信号を出力し、
前記アナログ・デジタル変換部は、アナログ信号をデジタル信号に変換して出力し、
前記再生制御部は、前記軌跡座標信号に基づいて再生制御信号を生成し、
前記信号処理部は、前記再生制御信号に基づいてオーディオ信号を変調出力する
ことを特徴とするオーディオ再生装置。
【請求項２】
前記第２記録媒体は、ＬＰレコードであり、
前記接触部は、判読用針とカートリッジであることを特徴とする請求項１に記載のオーディオ再生装置。
【請求項３】
前記信号処理部は、アドレス発生部と、バッファと、再生部とを備え、
前記アドレス発生部は、再生制御信号に基づいてアドレスを発生し、
前記バッファは、再生されたオーディオ信号をバッファリングすると共に、前記アドレス発生部が生成するアドレスに応じてバッファリングされたオーディオ信号を読み出し、  前記再生部は、前記バッファから読み出されるオーディオ信号を再生することを特徴とする請求項１または請求項２に記載のオーディオ再生装置。
【発明の詳細な説明】
【０００１】
本発明は、オーディオ信号の再生に係り、特にオーディオ信号を変調させて再生できるオーディオ変調機能を持つオーディオ再生装置に関する。
【０００２】
【従来の技術】
変調やミキシングなどの種々のオーディオ信号加工技術は、現代の音楽産業において一般的に行われている。その中でも、電子的な音響効果を得るための一般的な音楽演奏技術であるリミキシング技法は、たとえばテクノやヒップホップなどの新しいジャンルの音楽を創造するために広く用いられている。
【０００３】
リミキシング技法とは、再生速度及び／又は再生方向を人為的に操作して変調した曲を、通常の再生速度、再生方向で再生する曲と、同時に再生する方法である。
例えば、ＬＰ（Ｌｏｎｇ-Ｐｌａｙｉｎｇ）レコードを各々搭載した二台のターンテーブルを駆動させて二つの曲を同時に再生する場合、ディスクジョッキーが二台のターンテーブルのうちの一方のターンテーブルの回転速度及び回転方向を人為的に操作して可変させると、元の曲から変調された曲が生成される。
このとき、変調された曲を、正常な再生速度及び再生方向でターンテーブルを回転させて再生した変調されていない曲にミキシングすると、リミキシングされた曲が得られる。ここで、正常な再生方向とは、レコードの通常の再生方向を意味する。このようなターンテーブルの再生速度及び再生方向を変える操作を行うことをスクラッチング技法という。
【０００４】
このように、従来のリミキシング装置でのリミキシング技法、ＬＰレコード用ターンテーブルを用いるため、次のような問題点を持つ。
第一に、ＬＰレコードを搭載し、通常一定の速度で回転するターンテーブルの回転速度を強制的に変える過程で、オーディオ信号を記録したレコードとオーディオ信号を読み出す判読用針とが接触し続けるため、音質を格段に低下させ、判読用針の寿命を短縮させるという問題。さらに、ＬＰレコードに収録された情報を失う可能性があるという問題。また、ターンテーブルの回転速度を速くしすぎると、判読用針が現在判読中のレコードの溝からから外れてしまうという問題である。
【０００５】
第二に、急速にＬＰレコードに取って代わりつつあるコンパックディスク（ＣＤ：Ｃｏｍｐａｃｔ  Ｄｉｓｃ）記録媒体、テープ又はメモリなどに記録された曲をリミキシングできないという問題である。例えば、従来のリミキシング装置を用いて、例えばＣＤなどの記録媒体に記録された曲を、ＬＰレコードに記録された他の曲とをリミキシングしようとすると、ＣＤに記録された曲をＬＰレコードに一旦復刻しなければならないという面倒さがある。
【０００６】
これら問題点を解決する一般的なオーディオ信号処理装置としては、スイスのアンドレ・リックリー（Ａｎｄｒｅ Ｒｉｃｋｌｉ）が開示した、「オーディオ信号のためのデジタル処理装置（Ｄｉｇｉｔａｌ Ｐｒｏｃｅｓｓｉｎｇ Ｄｅｖｉｃｅ ｆｏｒ Ａｕｄｉｏ Ｓｉｇｎａｌ）」（国際出願番号第ＷＯ ０９７０１１６８号）という装置がある。
そのオーディオ信号処理装置では、モータにより設定された速度で回転する回転円板の回転速度及び回転方向についての情報を検出し、検出したこれらの情報をセンサを通じて読み取る。そして、この読み取られた情報に基づいてオーディオ信号の再生を制御する。
【０００７】
しかし、このような従来のオーディオ信号処理装置は、情報を得るためにアナログＬＰターンテーブル又はＬＰターンテーブルと類似した回転円板を用いるため、回転円板を駆動させるための機械的な駆動部を必要とする。従って、機械的な駆動部を持つ従来のオーディオ信号処理装置は小型化する上で不利であり、その製作コストが高いという問題点を持つ。また、デジタルオーディオ信号が高い解像度を持つ場合、使用者はデジタルオーディオ信号のサンプリング率に合わせてリミキシング作業を行えないという問題点を持つ。
【０００８】
さらに、従来のオーディオ信号処理装置及びリミキシング装置は、回転円板を用いるため、次のような問題点を持つ。
第一に、回転円板の慣性質量により、回転速度を微細に調整できないという問題。
第二に、回転円板の１次元的な軌跡（ここで、１次元的な軌跡とは、判読用針が位置した地点と回転円板の中心との間の距離を半径として持つ円の円周に該当する）上で得た情報を用いて回転速度及び回転方向だけを変調できるだけであって、オーディオ信号を様々に変調できないという問題である。
【０００９】
【発明が解決しようとする課題】
本発明が解決しようとする第１目的は、オーディオ信号の再生速度、再生方向又は再生音圧などの再生因子のうち少なくとも一つ以上においてオーディオ信号を変調させて再生できるオーディオ変調機能を持つオーディオ再生装置を提供するところにある。
【００１３】
前記第１目的を達成するために、本発明のオーディオ再生装置は、オーディオ再生部と、軌跡検出部と、再生制御部と、信号処理部とを備えるオーディオ再生装置であって、前記オーディオ再生部は、第１記録媒体を再生してオーディオ信号を出力し、前記軌跡検出部は、回転円板と、記録媒体と、接触部と、アナログ・デジタル変換部と信号処理部とを備え、軌跡座標信号を生成し、前記軌跡座標信号を前記再生制御部に出力し、前記回転円板は、第２記録媒体を載置すると共に、使用者の操作に応じて回転可能とし、前記第２記録媒体は、周期的に設けられた所定数の凹凸を持つサウンドグローブを表面に螺旋状に備え、前記接触部は、サウンドグローブに接触して凹凸に基づくアナログ信号を出力し、前記アナログ・デジタル変換部は、アナログ信号をデジタル信号に変換して出力し、前記再生制御部は、前記軌跡座標信号に基づいて再生制御信号を生成し、前記信号処理部は、前記再生制御信号に基づいてオーディオ信号を変調出力することを特徴とするものである。
【００１７】
【発明の実施の形態】
以下、本発明のオーディオ変調機能を持つオーディオ再生装置１の構成及び動作を添付図面を適宜参照しながら説明する。
【００１８】
図１は、本発明のオーディオ変調機能を持つオーディオ再生装置１のブロック図である。
このオーディオ変調機能を持つオーディオ再生装置（以下、オーディオ再生装置という）１は、再生制御部１０及びオーディオ再生部２０より構成される。
このオーディオ再生装置１の再生制御部１０は、本オーディオ再生装置１の使用者又は演奏者（以下、操作者という）の操作に応じて可変となる第１変位値及び／又は第２変位値を分析して再生制御信号を生成し、生成した再生制御信号をオーディオ再生部２０へ出力する。
ここで、前記第１変位値はオーディオ信号の再生速度や再生方向を、前記第２変位値はオーディオ信号の音圧をそれぞれ変調させるものである。
【００１９】
本発明のオーディオ再生装置１の再生制御部１０は、軌跡検出部６及び再生制御信号生成部８を備えている（図１参照）。
再生制御部１０の軌跡検出部６は、操作者により操作され、当該操作に基づいて検出した第１変位値及び／又は第２変位値からなる軌跡座標信号を、再生制御信号生成部８へ出力する。
この軌跡検出部６としては、タッチパッド、第１マウス、第２マウスと回転円板との組み合わせ、又はジョグシャトルダイヤルなどが適宜利用可能である。
【００２０】
図２（ａ）乃至図２（ｃ）は、この再生制御部１０として好適な態様を説明した図である。
図２（ａ）の再生制御部１０Ａは、軌跡検出部６として十字状のマーク３４を持つタッチパッド６Ａ、変換操作キー３０，３２を備えて構成される。
図２（ｂ）の再生制御部１０Ｂは、軌跡検出部６として回転円板３６、第２マウス３８、変換操作キー３０，３２を備えて構成される。
図２（ｃ）の再生制御部１０Ｃは、軌跡検出部６としてジョグシャトルダイヤル６Ｂ、変換操作キー３０，３２を備えて構成される。
【００２１】
以下、この再生制御部１０の前記軌跡検出部６として、タッチパッド６Ａ（図２（ａ）参照）を用いた第１の態様について説明する。
このタッチパッド６Ａでは、タッチパッド６Ａの上面に形成された十字状のマーク３４を、操作者が上下左右に２次元的に操作すると、当該操作時のタッチパッド６Ａの軌跡が操作結果として検出される。
そして、当該軌跡の開始位置及び終了位置の座標値から第１変位値及び／又は第２変位値を算出し、算出した第１変位値及び／又は第２変位値を有する軌跡座標信号を、再生制御信号生成部８へ出力する。
【００２２】
このタッチパッド６Ａとしては様々なものが利用可能である。例えば、タッチパッド６Ａは、第１方向に沿って所定間隔をおいて平行に形成された第１電極ライン（図示せず）と、前記第１電極ライン（図示せず）と直交する方向に、当該第１電極ラインと第２電極ラインとの間に絶縁物質又は高抵抗物質を充填することで、前記第一電極ラインから所定間隔を開けて平行に形成された第２電極ライン（図示せず）と、タッチパッド６Ａの操作を電気的な短絡により検出する座標検出部（図示せず）とを含む構成とすることが可能である。
【００２３】
このような構成を持つタッチパッド６Ａの座標検出部（図示せず）は、第１電極ライン（図示せず）及び第２電極ライン（図示せず）を順次スキャニングすることで、操作者の操作により第１電極ライン（図示せず）及び第２電極ライン（図示せず）が短絡した座標値を検出する。
【００２４】
また、この第１の態様の軌跡検出部６は、タッチパッド６Ａの代わりに、第１マウス（図示せず）を用いることも可能である。
この場合、操作者が前記第１マウスを上下左右に移動させた軌跡が操作結果として検出される。そして、検出された軌跡の開始位置及び終了位置の座標値から第１変位値及び／又は第２変位値を有する軌跡座標信号を生成し、当該軌跡座標信号を前記再生制御信号生成部８へ出力する。
このように、軌跡座標信号は、操作者のタッチパッド６Ａの操作の代わりに、第１マウスの移動操作により得られる。
【００２５】
従来のオーディオ再生装置では、この再生制御部１０の軌跡検出部６の機能は、ターンテーブル及び判読用針が担っている。従って、従来のオーディオ再生装置では、第１変位値（ここで、第１変位値は前記位置情報に該当する）のみが検出可能であり、第２変位値は検出できない。
一方、前記軌跡検出部６の第１の態様として挙げた２種類の例では、ターンテーブルを使わずに、タッチパッド６Ａや第１マウス（図示せず）を使うので、第１変位値と同様に第２変位値も検出できる。
その結果、後述するように、従来のオーディオ再生装置よりも一層多様に、再生されるオーディオ信号を変調することが可能である。
【００２６】
以下に、この再生制御部１０の軌跡検出部６の第２の態様として、図２（ｂ）に示す回転円板３６及び第２マウス３８を用いた場合について説明する。
この第２の態様では、前記回転円板３６は、操作者の操作により回転する一般的なターンテーブルである。
前記第２マウス３８は、従来のオーディオ再生装置の判読用針（図示せず）が設置されていた位置に設けられ、従来のオーディオ装置の判読用針が行う機能と同様の機能を行う。この第２マウス３８は回転円板３６と接触し、当該回転円板３６の回転速度及び回転方向を検出し、その検出結果から第１変位値を有する軌跡座標信号を求め、再生制御信号生成部８へ出力する。
【００２７】
図２（ｂ）に示す再生制御部１０Ｂは、判読用針の代わりに第２マウス３８を用いる点を除いて、ターンテーブル及び判読用針を操作して曲を変調させる従来のオーディオ再生装置と同様の構成及び機能を備える。
この第２の態様で示す軌跡検出部６は、従来のオーディオ再生装置と同様に回転円板３６の第１変位値だけを検出するが、従来のオーディオ再生装置とは異なり、判読用針の代わりに第２マウス３８を用いている。従って、判読用針を使うことにより生じうる問題を解消できる。
【００２８】
ここで、前記第１の態様、第２の態様で用いられた第１マウス及び第２マウス（図示せず）のは一般的に広く知られているパーソナルコンピュータの周辺機器であって、その構成及び動作についての詳細な説明は省略する。
【００２９】
次に、この再生制御部１０の軌跡検出部６の第３の態様として、図２（ｃ）に示すジョグシャトルダイヤル６Ｂを用いた場合について説明する。
この円形状のジョグシャトルダイヤル６Ｂは、操作者の操作により時計回り方向や反時計回り方向に回動自在となるように構成されている。従って、この軌跡検出部６では、このジョグシャトルダイヤル６Ｂの回転を検知し、第１変位値を有する軌跡座標信号を生成し、再生制御信号生成部８へ出力する。
【００３０】
このジョグシャトルダイヤル６Ｂは、ビデオ映像を所望の速度で観覧可能にするジョグシャトル機能の操作に一般的に用いられるジョグシャトルダイヤル６Ｂである。よって、その構成及び動作についての説明は省略する。
【００３１】
この軌跡検出部６の第３の態様であるジョグシャトルダイヤル６Ｂは、第１変位値だけを検出できるので、オーディオ信号を多様に変調することはできない。しかし、使用者は慣性質量を持つ回転円板の代わりに、ジョグシャトルダイヤル６Ｂを使うことで、回転速度を微細に調整することが可能となる。
【００３２】
次に、本発明のオーディオ再生装置１の、再生制御部１０の軌跡検出部６の構成及び動作を説明する。
図３は、前記軌跡検出部６の一例である軌跡検出部６Ｃのブロック図である。図３に示すように、軌跡検出部６Ｃは、接触部４０、記録媒体４２、アナログ／デジタル変換部（ＡＤＣ：Ａｎａｌｏｇ ｔｏ Ｄｉｇｉｔａｌ Ｃｏｎｖｅｒｔｅｒ）４４及び信号処理部４６より構成される。
【００３３】
軌跡検出部６Ｃの記録媒体４２は、操作者により操作され、その回転方向及び回転速度は操作者により決定される。この記録媒体４２の螺旋状のサウンドグローブ上には、所定数の凹部と凸部からなる凹凸パターンが繰り返し設けられている。
軌跡検出部６Ｃの接触部４０は、前記記録媒体４２が操作される際に、当該記録媒体４２上に設けられた前記凹凸パターンに接触し、その記録媒体４２が時計回り方向に回転するのか、あるいは反時計回り方向に回転するのかを検知し、記録媒体４２の回転方向を示す方向情報を有するアナログ信号を生成しＡＤＣ４４へ出力する。
【００３４】
ここで、接触部４０及び記録媒体４２をより理解するために、接触部４０及び記録媒体４２の一例を以下に示す。
【００３５】
図４は、図３の接触部４０及び記録媒体４２の一態様図である。
この図において、接触部４０Ａは、カートリッジ４１Ａ、オーディオ信号を読み取る判読用針（以下、判読用針という）４１Ｂとを備えて構成されている。また、前記記録媒体４２は、ここではＬＰレコードである。
【００３６】
ターンテーブル上に載置され、操作者の操作に応じた方向及び速度で回転するＬＰレコード４２Ａの螺旋状のサウンドグローブ４５の表面４３には、前記判読用針４１Ｂの進行方向に沿って、所定数の凹部、凸部を備えた凹凸パターンが形成されている。
【００３７】
従って、ＬＰレコードが回転した際に、判読用針４１ＢがＬＰレコード４２Ａのサウンドグローブ４５の表面４３に形成された凹凸に接触すると、カートリッジ４１Ａは、ＬＰレコードが回転している間、そのＬＰレコード４２Ａの回転方向を示すアナログ信号を生成する。そして、生成したアナログ信号を、出力端子ＯＵＴ２を介して、ＡＤＣ４４に出力する。
【００３８】
例えば、カートリッジ４１Ａに取り付けられた判読用針４１Ｂを、ＬＰレコード４２Ａの縁部から中心側に向けて設けられた螺旋状のサウンドグローブ４５に接触させると、カートリッジ４１Ａは前記回転方向を示すアナログ信号を生成し、生成したアナログ信号をＡＤＤ４４へ出力する。ここで、前記アナログ信号の電圧レベルは、サウンドグローブ４５の表面に形成された凹凸パターンに応じて適宜変化する。
【００３９】
ここで、サウンドグローブ４５の表面に形成された凹凸パターンについてより詳細に説明する。
図５は、記録媒体上に形成される一般的な凹凸パターンの例を示す図である。図５に示すように、単位周期Ｔごとに所定数（ここでは、所定数＝６）の凹凸が設けられている。この３つある凹状の断面の中で、２つの凹状の断面は同一の長さを有し、一方、３つの凸状の断面はそれぞれ相異なる長さを有している。ここで、凸状の断面の長さがそれぞれ相異なる長さを持つ理由は、アナログ信号に方向情報を持たせるためである。
【００４０】
判読用針４１Ｂが記録媒体の表面４３上に形成された凹凸パターンと接触する際に、前記カートリッジ４１Ａにより生成されるアナログ信号の電圧レベルは、ＬＰレコード４２Ａの回転方向に応じて変化する。
ここで、前記判読用針４１Ｂが、図５において左から右方向に向かって示すような凹凸順序で凹凸を感知したときは、レコード４２Ａは正方向に回転していることを意味し、一方、図５において右から左方向に向かって示すような凹凸順序で凹凸を感知したときは、レコード４２Ｂは逆方向に回転していることを意味する。
【００５１】
以下、図１に示す再生制御部１０における、速度制御信号、方向制御信号、第１音圧制御信号、及び／又は第２音圧制御信号を含む再生制御信号の生成を図７を参照して説明する。
ここで、前記軌跡検出部６において、操作者のタッチパッド６Ａや、マウス（図示せず）の操作に基づいて検出した軌跡を２次元の軌跡という。
【００５２】
図７は、前記再生制御部１０における再生制御信号の発生過程を説明するための２次元の軌跡ａ及びｂを示した図である。
ここで、２次元の軌跡ａの開始位置のＸ軸座標及びＹ軸座標は（ｘ1，ｙ1）とし、２次元の軌跡ａの終了位置のＸ軸座標及びＹ軸座標は（ｘ2，ｙ1）とする。また、２次元の軌跡ｂの開始位置のＸ軸座標及びＹ軸座標は（ｘ3，ｙ3）とし、２次元の軌跡ｂの終了位置のＸ軸座標及びＹ軸座標は（ｘ4，ｙ4）とする。
【００５３】
もし、所定のサンプリング時間（Δｔ）の間に、操作者がタッチパッド６ＡをＸ軸方向にのみ操作、あるいは、第１マウスをＸ軸方向のみに移動させた場合、その際の軌跡は、図７の２次元の軌跡ａに示すような軌跡となる。このとき、タッチパッド６Ａ又は第１マウスのＸ軸方向の移動距離（Ｘ2-Ｘ1）から第１変位値（ΔＸ）を持つ軌跡座標信号が生成され、再生制御信号生成部８へ出力される。
【００５４】
このとき、再生制御部１０の再生制御信号生成部８は、所定のサンプリング時間（Δｔ）においてＸ軸方向の第１変位値（ΔＸ）の符号がプラス（＋）であれば再生方向を正方向（すなわち、オリジナル曲の再生方向）に決定する。一方、前記符号がマイナス（-）であれば再生方向を逆方向に決定する。
そして、この再生制御信号生成部８は、決定された再生方向についての情報を含む方向制御信号をオーディオ再生部２０へ出力する。
【００５５】
さらに、再生制御信号生成部８は、所定のサンプリング時間（Δｔ）におけるＸ軸方向の第１変位値（ΔＸ）の絶対値│ΔＸ│=│Ｘ2-Ｘ1│から速度値│ΔＸ／Δｔ│を算出し、算出された速度値│ΔＸ／Δｔ│を含む速度制御信号をオーディオ再生部２０へ出力する。
【００５６】
このとき、再生制御信号生成部８は、算出された速度値│ΔＸ／Δｔ│に、新しい速度値を得るためになされたコントロールキー３０の操作に基づいて、複数の変換係数の中から選択された変換係数Ｃを乗じて、新しい速度値│ΔＸ／Δｔ│×Ｃを求め、求められた新しい速度値│ΔＸ／Δｔ│×Ｃを有する速度制御信号をオーディオ再生部２０へ出力する。
【００５７】
ここで、変換係数を速度値に乗じるのは、以下のような理由による。
従来のオーディオ再生装置において、ＬＰレコード用ターンテーブルを用いてオーディオ信号を変調しようとすると、操作者は一定の速度で回転するターンテーブルに所定の力を加えることでターンテーブルの回転速度の調節を行う。  従って、このような速度制御法に慣れている操作者が、従来のＬＰ用ターンテーブルに加えていた力と等しい力で、図２（ａ）に示すタッチパッド６Ａを操作する際に、従来のＬＰターンテーブルから生じる速度値（これは、前述した位置情報に該当する）に等しい速度値が、タッチパッド６Ａからも算出されるようにするために、変換係数Ｃが速度値│ΔＸ／Δｔ│に乗じられるのである。ここで、所定の変換係数は、操作者がターンテーブルに加えた手の動きをモデリングして前もって決定される。
【００５８】
タッチパッド６Ａ又は第一マウスの操作によるＹ軸方向の変位に基づいて計算された第２変位値は、オーディオ信号を異なった方法で変調するための特別の再生制御信号として活用できる。
例えば、使用者がタッチパッド６Ａ又は第１マウス（図示せず）をＹ軸方向に操作すると、その操作によりＹ軸方向の第２変位値（ΔＹ）を有する軌跡座標信号が生成され、生成された軌跡座標信号が再生制御信号生成部８へ出力される。
【００５９】
この再生制御信号生成部８は、Ｙ軸方向の第２変位値（ΔＹ）の符号に基づいて第１音圧制御信号を生成し、ついで、オーディオ再生部２０へ出力する。
ここで、所定のサンプリング時間（Δｔ）における前記Ｙ軸方向の第２変位値（ΔＹ）の符号がプラス（＋）の場合、前記第１音圧制御信号は、音圧を増やすという情報を有する。一方、マイナス（-）の場合、前記第１音圧制御信号は、音圧を減らすという情報を有する。
【００６０】
また、再生制御信号生成部８は、Ｙ軸方向の第２変位値の絶対値（│ΔＹ│）から音圧の変調率に関する情報を有する第２音圧制御信号を生成してオーディオ再生部２０へ出力する。
【００６１】
例えば、所定のサンプリング時間（Δｔ）において、操作者がタッチパッド６ＡのＸ軸及びＹ軸方向の操作や、第１マウスのＸ軸及びＹ軸方向の移動を行った場合、その際の軌跡は図７に示す軌跡ｂのようになる。このとき、タッチパッド６Ａや第１マウスのＸ軸方向の移動距離（Ｘ2-Ｘ1）から第１変位値（ΔＸ）を有する軌跡座標信号が生成され、当該軌跡座標信号が再生制御信号生成部８へ出力される。
この場合、タッチパッド６Ａ又は第１マウス（図示せず）は、２次元の軌跡の開始位置（ｘ3，ｙ3）と終了位置（ｘ4，ｙ4）との間のＸ、Ｙ軸上での移動距離（Ｘ4-Ｘ3及びＹ4-Ｙ3）から第１変位値及び第２変位値（ΔＸ及びΔＹ）を求めて再生制御信号生成部８へ出力する。
【００６２】
ここで、前述したように、再生制御信号生成部８は、第１変位値（ΔＸ）の符号及び絶対値から方向制御信号及び速度制御信号を生成し、第２変位値（ΔＹ）の符号及び絶対値から第１音圧制御信号及び第２音圧制御信号を生成してオーディオ再生部２０へ出力する。
【００６３】
本発明のオーディオ再生装置１のオーディオ再生部２０は、前記再生制御部１０から出力された、再生制御信号（速度制御信号、方向制御信号、第１音圧制御信号及び第２音圧制御信号）に基づいて、第１記録媒体から読み込んだオーディオ信号の音圧、再生方向、及び速度の中の少なくとも一つを変調する。
【００６４】
以下、図１に示す本発明のオーディオ再生部２０の好適な一態様の構成、及び当該オーディオ再生部２０でのオーディオ信号の再生方法について説明する。
【００６５】
図８は、図１に示すオーディオ再生部２０でのオーディオ信号の再生方法を説明するフローチャートである。このオーディオ信号の再生は、再生制御信号が再生御制御部１０から送られてきた軌跡座標信号に含まれているか否かに基づいて、第１オーディオ信号を変調して再生するのか、あるいは、変調せずに再生するのかを判断することで行われる（第５０〜第５４段階）。
【００６６】
本実施の形態におけるオーディオ再生部２０は、アドレス発生部２２、バッファ２４及び再生器２６より構成される（図１参照）。
この構成を持つオーディオ再生部２０では、第１オーディオ信号を次のように変調させて再生する。
【００６７】
はじめに、アドレス発生部２２は、操作者に第１オーディオ信号を変調する意志があるか否かを判断するために、再生制御部１０から再生制御信号（速度制御信号、方向制御信号）が入力されたか否かを判断する（第５０段階）。
【００６８】
この際、速度制御信号、方向制御信号のうち少なくとも一つを有する再生制御信号が前記再生制御部１０から入力されると、オーディオ再生部２０は、第１オーディオ信号を変調すると判断し、入力された速度制御信号及び方向制御信号に基づいて、第１オーディオ信号を変調し、変調された第１オーディオ信号を再生する（第５２段階）。
【００６９】
第５２段階において、再生制御部１０から再生制御信号が入力されると、アドレス発生部２２は、入力された再生制御信号に基づいて再生速度及び再生順序を決定し、その内容を示すアドレスをバッファ２４へ出力する。
バッファ２４では、第１記録媒体に記録された第１オーディオ信号を入力端子ＩＮを介して受け取り、当該第１オーディオ信号をバッファリングし、アドレス発生部２２から出力されたアドレスに基づいてバッファリングされた第１オーディオ信号を、再生器２６へ出力する。
【００７０】
より具体的に説明すると、アドレス発生部２２は、前記再生制御部１０より入力された速度制御信号に基づいて再生速度を分析し、分析した結果を用いて、バッファ２４にバッファリングされた第１オーディオ信号を速く読み出すか、あるいは遅く読み出すかを指示するアドレスを生成する。
また、アドレス発生部２２は、前記再生制御部１０より入力された方向制御信号から、第１オーディオ信号の再生方向を分析し、分析した結果を用いて第１オーディオ信号がバッファリングされた順序で第１オーディオ信号を読み出すか、あるいはその反対の順序で第１オーディオ信号を読み出すかを決定する。このとき、アドレス発生部２２は、決定された結果によりアドレスを生じる。
【００７１】
言い換えるならば、アドレス発生部２２において割り当てられたアドレスに基づいてバッファ２４から、第１オーディオ信号が出力される間隔と速度を調節することで、第１オーディオ信号は変調される。
前記再生器２６では、バッファ２４からの変調された第１オーディオ信号を再生する。
【００７２】
一方、速度制御信号、方向制御信号、第１音圧制御信号及び第２音圧制御信号のうち少なくとも一つを有する再生制御信号が前記再生制御部１０から入力されない場合には、操作者が第１オーディオ信号を変調しないと判断し、オーディオ再生部２０は第１オーディオ信号を変調せずに再生する（第５４段階）。
すなわち、再生制御信号が再生制御部１０から出力されなければ、アドレス発生部２２はバッファ２４にバッファリングされた第１オーディオ信号が所定の基本速度及び順序で読み出されるようにアドレスを与える。
従って、再生器２６は、バッファ２４からの第１オーディオ信号を通常のな速度及び順序で再生する。
【００７３】
本発明の一実施例によれば、ＭＰ-３プレーヤ、デジタルオーディオテーププレーヤ（ＤＡＴ：Ｄｉｇｉｔａｌ Ａｕｄｉｏ Ｔａｐｅ ｐｌａｙｅｒ）、ＣＤ-プレーヤ又はカラオケ演奏機器などのデジタル又はアナログ音楽再生装置が、図１に示されたオーディオ再生部２０の役目を担えるように構成することができる。
【００７４】
この場合、再生制御部１０は本体部とは別に製作され、オプションとしてオーディオ再生装置の本体部に接続するオーディオ再生部２０として供給される。
このとき、オーディオ再生部２０は、第１オーディオ信号の安定した再生のために、音飛び防止機能を備えることができる。この際には、バッファ２４は、再生される第１オーディオ信号を１０秒から４０秒の間バッファリングする。
【００７５】
本発明の他の実施例によれば、前記デジタル又はアナログ音楽再生装置は、再生制御部１０及びオーディオ再生部２０の機能を両方備えた構成とすることも可能である。
【００７６】
本発明のさらに他の実施例によれば、オーディオ再生部２０を、パーソナルコンピュータ（図示せず）などに内蔵した構成とすることも可能である。この場合、再生制御部１０は、パーソナルコンピュータの本体部とは別の装置として製作され、所望に応じてパーソナルコンピュータと適当なＰＡＳＳ等を介して接続できるように構成される。
このとき、バッファ２４として、パーソナルコンピュータの持つメモリ（図示せず）を利用する構成とすることも可能である。
また、図１に示されたオーディオ再生部２０の入力端子ＩＮを通じて入力される第１オーディオ信号は、パーソナルコンピュータ（図示せず）を通じて再生可能である。この場合パーソナルコンピュータに記憶させるデータの形式としては、「．ｃｄａ」という拡張子を持つＣＤ-ＲＯＭファイル、「．ｍｐ３」という拡張子を持つＭＰ３ファイル、「．ｗａｖ」という拡張子を持つウェブファイル又はＲＡ（Ｒｅａｌ Ａｕｄｉｏ）ファイルなど適宜選択可能である。
【００７７】
以下、本発明をより理解するために、再生制御部１０Ａとして、図２（ａ）に示されたタッチパッド６Ａを用い、この再生制御部１０Ａがオーディオ再生部２０を内蔵するパーソナルコンピュータと接続された場合を例に挙げて、パーソナルコンピュータの構成、パーソナルコンピュータと再生制御部１０Ａとの間の接続関係及び連携動作を、添付図面を参照しながら説明する。
【００７８】
図９は、パーソナルコンピュータ５８と再生制御部１０Ａとが接続された様子を示した図である。
図９に示されたパーソナルコンピュータ５８及び再生制御部１０Ａは、例えば、汎用のシリアルバス（ＵＳＢ：Ｕｎｉｖｅｒａｌ Ｓｅｒｉａｌ Ｂｕｓ）により接続できる。これは、ＵＳＢは他のバスに比べて一層高速のデータ伝送率を持つからである。
【００７９】
図１０は、図９に示す再生制御部１０Ａとパーソナルコンピュータ５８とを接続した様子を表すブロック図である。
図９及び図１０に示された再生制御部１０Ａは、図２Ａに示された再生制御部１０Ａと同様の構成及び機能を備えているので、ここではその説明を省略する。図１０に示すように、パーソナルコンピュータ５８は、中央処理装置（ＣＰＵ：Ｃｅｎｔｒａｌ Ｐｒｏｃｅｓｓｏｒ Ｕｎｉｔ）６０、表示装置６２、入力装置６４、オーディオ再生部７２及びオーディオファイル７４を持つ記憶装置６６、サウンドカード６８、スピーカ７０及びＣＤプレーヤ７６より構成される。
【００８０】
図１１は、図１０に示されたオーディオ再生部７２の好適な一態様を説明する説明図である。
この図において、オーディオ再生部８８は、デコーディング部８０と、アドレス発生部２２Ａ及びバッファ２４Ａより構成される。
【００８１】
このオーディオ再生部８８は、オーディオファイル７４又は通信網を通じて外部から直接入力した第１オーディオ信号をデコーディングするためのデコーディング部８０をさらに設けることを除けば、図１に示されたオーディオ再生部２０と同様の構成及び機能を持つ。
すなわち、アドレス発生部２２Ａ及びバッファ２４Ａは図１のアドレス発生部２２及びバッファ２４と各々同様の機能を行う。
【００８２】
以下、オーディオ再生部８８による第１オーディオ信号の変調および再生を説明する。
【００８３】
パーソナルコンピュータ５８のＣＰＵ６０が、記憶装置６６以外の他のメモリ（図示せず）から読み出したオーディオ再生部８８用プログラムを実行すると、表示装置６２に曲選択メニューが表示される。
この曲選択メニューに表示された中から、作業者が再生したい曲を、入力装置６４を用いて選択すると、選択された曲に該当する第１オーディオ信号がオーディオファイル７４から読み出され、オーディオ再生部８８へ入力される。
【００８４】
ここで、オーディオファイル７４は、各種の圧縮方式により第１オーディオ信号を貯蔵できるように構成されている。例えば、オーディオファイル７４はＣＤ-ＲＯＭファイル８１、ウェブファイル８４、ＭＰ３ファイル８６又はＲＡファイルなどになりうる。
【００８５】
このとき、オーディオ再生部８８のデコーディング部８０は、オーディオファイル７４から読み出された曲に該当する第１オーディオ信号を、Ｗｉｎｄｏｗｓ標準のオーディオファイルであるｗａｖファイルにデコーディングし、デコーディングされた第１オーディオ信号をバッファ２４Ａへ出力する。
ここで、バッファ２４Ａへ入力されたデコーディングされた第１オーディオ信号は、時間値（タイミング値）についての情報をもち、再生制御信号に応じてサウンドカード６８へ読み出される。
【００８６】
このようにして、アドレス発生部２２と同様に、アドレス発生部２２Ａは再生制御装置１０から出力された再生制御信号（速度制御信号、方向制御信号のうち少なくとも一つを持つ）を分析し、その分析結果に基づいてアドレスを生成し、生成したアドレスをバッファ２４Ａへ出力する。また、アドレス発生部２２Ａは、再生制御信号が入力されないとき、バッファ２４Ａへバッファリングされた第１オーディオ信号が標準の速度及び順序で出力されるように指定したアドレスをバッファ２４Ａへ出力する。もしくは、アドレス発生部２２Ａはアドレスの発生を中断して、バッファ２４Ａから第１オーディオ信号が読み出されることを防ぐこともできる。
【００８７】
このように、バッファ２４Ａを通じて出力される第１オーディオ信号はサウンドカード６８及びスピーカ７０を通じ、変調されたり、あるいは変調されてない第１オーディオ信号を再生され、操作者に提供される。
【００８８】
本発明の他の実施の形態として、図１０のオーディオ再生部７２は図１１に示す構成以外の形態とすることも可能である。
すなわち、オーディオ再生部７２は、図１に示された再生器２６の役目だけを行える。
この場合、図１のアドレス発生部２２の役目はＣＰＵ ６０が担い、図１のバッファ２４の役目は記憶装置６６の他のメモリ（図示せず）が担うことになる。
【０１００】
【発明の効果】
以上述べたように、本発明によるオーディオ変調機能を持つオーディオ再生装置は、１次元的な軌跡から得た一つの変位値だけを用いてオーディオ信号を変調及び再生していた従来のオーディオ再生装置とは異なって、２次元的な軌跡から得た一つ以上の変位値を用いてオーディオ信号の再生方向、再生速度及び再生音圧など、多数個の再生因子のうち少なくとも一つ以上にオーディオ信号を各種に変調して再生でき、回転円板無しでもオーディオ信号を変調して制御できる。よって、簡単な構造をもち、製作コストを節減でき、微細に曲を変調でき、回転円板を使うばとしても判読用針の代わりにマウスを使うので、判読用針の存在により生じうる各種の問題を根本的に除去でき、デジタルオーディオ信号をさらにＬＰレコードに復元せずにも変調させて再生できるだけでなく、高解像度のデジタルオーディオ信号のサンプリング比率を正確に合わせつつ、そのデジタルオーディオ信号を変調して再生できるという効果をもつ。
【図面の簡単な説明】
【図１】本発明によるオーディオ変調機能を持つオーディオ再生装置の一実施例のブロック図である。
【図２】（ａ）乃至（ｃ）は、図１に示された再生制御部に対する本発明による好ましい実施例を説明するための図である。
【図３】図１に示された軌跡検出部６のブロック図である。
【図４】図３に示された接触部及び記録媒体についての一態様図である。
【図５】記録媒体上に形成される凹凸パターンを説明する説明図である。
【図６】図１に示されたオーディオ再生部で行われるオーディオ再生方法を説明するためのフローチャートである。
【図７】本発明の一実施の形態におけるパーソナルコンピュータと再生制御部との接続状態を示す図である。
【図８】図７に示した、パーソナルコンピュータのブロック図である。
【図９】図８に示されたオーディオ再生部の一態様図である。
【図１０】図１に示されたオーディオ再生装置を適用した本発明によるリミキシング装置のブロック図である。
【図１１】図１０に示された装置でのリミキシング方法を説明するためのフローチャートである。
【符号の説明】
１・・・オーディオ変調機能を持つオーディオ再生装置
２・・・リミキシング装置
６・・・軌跡検出部
８・・・再生制御信号生成部
１０・・再生制御部
２０・・オーディオ再生部
２２・・アドレス発生部
２４・・バッファ
２６・・再生器
３０，３２・変換操作キー
４０・・接触部
４２・・記録媒体
４４・・アナログ／デジタル変換部
４６・・信号処理部
【図１】
0003771807.tif 000002
【図２】
0003771807.tif 000003
【図３】
0003771807.tif 000004
【図４】
0003771807.tif 000005
【図５】
0003771807.tif 000006
【図６】
0003771807.tif 000007
【図７】
0003771807.tif 000008
【図８】
0003771807.tif 000009
【図９】
0003771807.tif 000010
【図１０】
0003771807.tif 000011
【図１１】
0003771807.tif 000012